(57)【要約】【課題】外気の空気を室内に取り入れて給気を行う給気装置は、室内側から給気駆動用モータ及び給気羽根車を取り外して掃除することができないという課題があり、給気駆動用モータおよび給気羽根車を簡単に取り外すことができる、すなわち着脱自在にすることで、容易に掃除できることを目的とする。【解決手段】室内パネル９と給気清浄フィルター１１を取り外した後、モータ固定部材８を風洞３から取り外すと同時に負荷側コネクタ１５が電源側コネクタ１３から外れるため、モータ固定部材８、給気駆動用モータ７、給気羽根車６を風洞３から一緒に取り外すことができるものであり、給気駆動用モータおよび給気羽根車を簡単に取り外すことができる、すなわち着脱自在にすることで容易に掃除でき、使用者が給気装置１の内部を掃除しにくい不満が解消される。【選択図】図１
2009063252.tif 000002
【特許請求の範囲】
【請求項１】
建築物の壁面に室内外を連通させる円筒状の開口部に室内側から挿入して装着する風洞を備え、前記風洞内に室内側と室外側を連通する給気経路を備え、前記給気経路の中に給気羽根車と前記給気羽根車を回転させる給気駆動用モータを備え、室内側に前記給気駆動用モータを保持するモータ固定部材を備えた構成であり、前記給気羽根車を回転させることにより室外の空気を前記給気経路を通して室内へ供給する給気装置であって、前記モータ固定部材を室内側から取り外すと前記給気駆動用モータ、および前記給気羽根車を同時に前記風洞から取り外すことができる給気装置。
【請求項２】
給気駆動用モータは室外側に給気羽根車を取り付ける構成であり、室内側に開口部を覆い隠す室内パネルを備え、前記室内パネルに設置され、室内に供給される外気を導入する給気口を備え、前記給気口を通過する外気は、前記給気羽根車および前記給気駆動用モータを経由した後に粉塵を除去する給気清浄フィルターを通過する構成であり、前記給気駆動用モータの電源線は、電源側コネクタと負荷側コネクタによって二つに分割しており、第１の電源線は壁内に配線された屋内配線であって前記電源側コネクタと連結しており、第２の電源線は一端を前記負荷側コネクタと、他端を前記給気駆動用モータと連結しており、前記電源側コネクタと前記負荷側コネクタを接続することによって前記第１の電源線から供給される電気を前記第２の電源線に通電される構成であり、前記電源側コネクタは前記風洞に固定され、前記負荷側コネクタは前記モータ固定部材に固定する構成とすることにより、前記室内パネルと前記給気清浄フィルターを取り外した後に、前記モータ固定部材を室内側から取り外すと同時に前記電源側コネクタから前記負荷側コネクタが外れ、前記負荷側コネクタと前記第２の電源線と前記給気駆動用モータ、および前記給気羽根車を同時に前記風洞から取り外すことができる構成とした請求項１記載の給気装置。
給気装置。
【請求項３】
電源側コネクタと負荷側コネクタは、風洞の中心軸と平行に接続される構成であり、電源側コネクタと負荷側コネクタの少なくとも一方は前記中心軸方向に可動することができ、また、電源側コネクタと負荷側コネクタの少なくとも一方にマグネットを備え、接続の際には前記マグネットにより磁力にて引き付けあう力を発生させる構成とした請求項１または請求項２いずれか記載の給気装置。
【請求項４】
電源側コネクタと負荷側コネクタを無接点で電気を送電できる無接点電気供給手段とした請求項１乃至３のいずれか記載の給気装置。
【請求項５】
室内側から操作でき、第１の電源線の通電を入り切りできる電源スイッチを備え、電源側コネクタと負荷側コネクタには接続状態を保持するロック機構を備え、前記電源スイッチと前記ロック機構を連動させることにより、前記電源スイッチを切らなければ前記ロック機構が解除されず、前記電源側コネクタと前記負荷側コネクタが分割できない構成とした請求項１乃至４のいずれか記載の給気装置。
【請求項６】
電源側コネクタと負荷側コネクタは風洞の内周で且つ重力方向に対して上方の位置に備え、前記電源側コネクタは室外側に備え、前記負荷側コネクタは室内側に備え、前記風洞の内周から前記電源側コネクタと前記負荷側コネクタの勘合部分を覆うカバー部を備えた請求項１乃至５のいずれか記載の給気装置。
【請求項７】
電源側コネクタには負荷側コネクタを差し込む差込口を備え、前記差込口を密閉できる開閉窓を備え、前記負荷側コネクタを接続する際は前記開閉窓が開き、前記負荷側コネクタを外す際は開閉窓が閉じる構成とした請求項１乃至６のいずれか記載の給気装置。
【請求項８】
風洞からモータ固定部材及び給気羽根車、給気駆動用モータを外した際、室外側から室内へ虫の侵入を防止する虫侵入防止手段を設けた請求項１乃至７のいずれか記載の給気装置。
【請求項９】
建築物の壁面に室内外を連通させる円筒状の開口部に室内側から挿入して装着する風洞を備え、前記風洞内に室内側と室外側を連通する給気経路を備え、前記給気経路の中に給気羽根車と前記給気羽根車を回転させる給気駆動用モータを備え、室内側に前記給気駆動用モータを保持するモータ固定部材を備え、前記給気駆動用モータは室外側に前記給気羽根車を取り付ける構成であり、室内側に前記開口部を覆い隠す室内パネルを備え、前記室内パネルに設置され、室内に供給される外気を導入する給気口を備え、前記給気口を通過する外気は、前記給気羽根車および前記給気駆動用モータを経由した後に粉塵を除去する給気清浄フィルターを通過する構成であり、前記給気駆動用モータの電源線は前記風洞に連接された電線を延長及び巻き取りが可能な電源リールを備え、前記風洞を取り外すことなく、前記室内パネルと前記給気清浄フィルターを取り外した後に、前記電源線を前記電源リールを使用して延長することで、前記電源線と連結した前記モータ固定部材、前記給気駆動用モータ、および前記給気羽根車を同時に前記風洞から取り外すことができる給気装置。
【請求項１０】
モータ固定部材に風洞と噛み合うように配設されたツメ部及び室内側から前記ツメ部の噛み合いを解除できるツマミ部を備えた構成であり、前記モータ固定部材を前記風洞の中心軸方向に位置決めでき、且つ前記風洞から前記モータ固定部材を着脱可能とした請求項１乃至９のいずれか記載の給気装置。
【請求項１１】
風洞の内側が室外側に行くほど外径が狭くなるように、テーパ状に構成された請求項１乃至１０のいずれか記載の給気装置。
【請求項１２】
開口部と風洞の間に、室外からの異物の侵入を防止できるパッキンを備え、前記パッキンは第一の電源線及び電源側コネクタよりも室外側に備えた請求項１乃至１１のいずれか記載の給気装置。
【請求項１３】
給気羽根車は給気駆動用モータの回転軸から着脱可能とした請求項１乃至１２のいずれか記載の給気装置。
【請求項１４】
給気経路の内部にあり、給気羽根車よりも室外側に虫の侵入を防止する簡易フィルターを備え、モータ固定部材を取り外した後に室内側から脱着自在に構成した請求項１乃至１３のいずれか記載の給気装置。
【請求項１５】
運転を開始してから一定期間を過ぎたときに、本体を掃除するようにサインを表示できる構成とした請求項１乃至１４のいずれか記載の給気装置。
【請求項１６】
運転を開始してから一定期間を過ぎたときに、給気清浄フィルターおよび簡易フィルターの交換のサインを別々に表示できる構成とした請求項１乃至１５のいずれか記載の給気装置。
【請求項１７】
給気羽根車の回転数を検知して、回転数が一定範囲以上変化した場合に、給気清浄フィルターおよび簡易フィルターの交換のサインを別々に表示できる構成とした請求項１乃至１６のいずれか記載の給気装置。
【発明の詳細な説明】
【技術分野】
【０００１】
本発明は、居室等の室内環境を清浄に保つ給気装置などに関するものである。
【背景技術】
【０００２】
従来、この種の給気装置は、給気を実施する方式のものが知られている。
【０００３】
以下、その給気装置の一例について図１１に示した従来の給気装置１０１の断面図を参照しながら説明する。
【０００４】
室内外を連通させる円筒状の開口部１０２に室内側から挿入して装着する風洞１０３を備え、風洞１０３内に室内側と室外側を連通する給気経路１０４を備え、給気経路１０４の中に給気羽根車１０５と給気羽根車１０５を回転させる給気駆動用モータ１０６を備え、室内側に給気駆動用モータ１０６を保持するモータ固定部材１０７があり、給気駆動用モータ１０６は室外側に給気羽根車１０５を取り付ける構成であり、室内側に開口部１０２を覆い隠す室内パネル１０７を備え、室内パネル１０７に設置され、室内に供給される外気を導入する給気口１０８を備え、給気口１０８を通過する外気は、粉塵を除去する給気清浄フィルター１０９を通過する前に給気羽根車１０５および給気駆動用モータ１０６を経由する構成となっている。
【特許文献１】特開２００３ー２８４７４号公報
【発明の開示】
【発明が解決しようとする課題】
【０００５】
このような従来の給気装置では、外気の空気を室内に取り入れて給気を行う場合に、室内側に給気清浄フィルターが装着されるため、給気羽根車や給気駆動用モータに汚れが付着するが、給気羽根車が給気駆動用モータよりも室外側にあるため、室内側から給気駆動用モータと給気羽根車を容易に取り外して掃除することができないという課題がある。本発明は、このような従来の課題を解決するものであり、給気駆動用モータおよび給気羽根車を簡単に取り外すことができる、すなわち着脱自在にすることで、給気駆動用モータと給気羽根車に付着した汚れを容易に掃除することができる給気装置を提供することを目的としている。
【課題を解決するための手段】
【０００６】
本発明の給気装置は、上記目標を達成するため建築物の壁面に室内外を連通させる円筒状の開口部に室内側から挿入して装着する風洞を備え、前記風洞内に室内側と室外側を連通する給気経路を備え、前記給気経路の中に給気羽根車と前記給気羽根車を回転させる給気駆動用モータを備え、室内側に前記給気駆動用モータを保持するモータ固定部材を備えた構成であり、前記給気羽根車を回転させることにより室外の空気を前記給気経路を通して室内へ供給する給気装置であって、前記モータ固定部材を室内側から取り外すと前記給気駆動用モータ、および前記給気羽根車を同時に前記風洞から取り外すことができることを特徴とする。
【０００７】
そして、本発明によれば、風洞を取り外すことなく給気駆動用モータおよび給気羽根車を簡単に取り外すことができる、すなわち着脱自在にすることで、給気駆動用モータと給気羽根車に付着した汚れを容易に掃除することができる給気装置が得られる。
【０００８】
また、給気駆動用モータは室外側に給気羽根車を取り付ける構成であり、室内側に開口部を覆い隠す室内パネルを備え、前記室内パネルに設置され、室内に供給される外気を導入する給気口を備え、前記給気口を通過する外気は、前記給気羽根車および前記給気駆動用モータを経由した後に粉塵を除去する給気清浄フィルターを通過する構成であり、前記給気駆動用モータの電源線は、電源側コネクタと負荷側コネクタによって二つに分割しており、第１の電源線は壁内に配線された屋内配線であって前記電源側コネクタと連結しており、第２の電源線は一端を前記負荷側コネクタと、他端を前記給気駆動用モータと連結しており、前記電源側コネクタと前記負荷側コネクタを接続することによって前記第１の電源線から供給される電気を前記第２の電源線に通電される構成であり、前記電源側コネクタは前記風洞に固定され、前記負荷側コネクタは前記モータ固定部材に固定する構成とすることにより、前記室内パネルと前記給気清浄フィルターを取り外した後に、前記モータ固定部材を室内側から取り外すと同時に前記電源側コネクタから前記負荷側コネクタが外れ、前記負荷側コネクタと前記第２の電源線と前記給気駆動用モータ、および前記給気羽根車を同時に前記風洞から取り外すことができることを特徴とする。
【０００９】
そして、本発明によれば、風洞を取り外すことなく給気駆動用モータおよび給気羽根車を簡単に取り外すことができる、すなわち着脱自在にすることで、給気駆動用モータと給気羽根車に付着した汚れを容易に掃除することができる給気装置が得られる。
【００１０】
また、電源側コネクタと負荷側コネクタは、風洞の中心軸と平行に接続される構成であり、電源側コネクタと負荷側コネクタの少なくとも一方は中心軸方向に可動可能とし、電源側コネクタと負荷側コネクタの少なくとも一方にマグネットを備え、接続の際にはマグネットにより磁力にて引き付けあう力を発生させる構成としたことを特徴とする。
【００１１】
これにより、電源側コネクタと負荷側コネクタに無理な力が発生することが無く、且つ確実に接続することができ、また、風洞を取り外すことなく給気駆動用モータおよび給気羽根車を簡単に取り外すことができる、すなわち着脱自在にすることで、給気駆動用モータと給気羽根車に付着した汚れを容易に掃除することができる給気装置が得られる。
【００１２】
また、電源側コネクタと負荷側コネクタを無接点で電気を送電できる無接点電気供給手段としたことを特徴とする。
【００１３】
これにより、接点に埃や水が付着することが無いために錆を発生させることがなく、また、風洞を取り外すことなく給気駆動用モータおよび給気羽根車を簡単に取り外すことができる、すなわち着脱自在にすることで、給気駆動用モータと給気羽根車に付着した汚れを容易に掃除することができる給気装置が得られる。
【００１４】
また、室内側から操作でき、第１の電源線の通電を入り切りできる電源スイッチを備え、電源側コネクタと負荷側コネクタには接続状態を保持するロック機構を備え、電源スイッチとロック機構を連動させることにより、電源スイッチを切らなければロック機構が解除されず、電源側コネクタと負荷側コネクタが分割できない構成としたことを特徴とする。
【００１５】
これにより、コネクタを分割する際は通電状態ではないため、安全に着脱でき、また、風洞を取り外すことなく給気駆動用モータおよび給気羽根車を簡単に取り外すことができる、すなわち着脱自在にすることで、給気駆動用モータと給気羽根車に付着した汚れを容易に掃除することができる給気装置が得られる。
【００１６】
また、電源側コネクタと負荷側コネクタは風洞の内周で且つ重力方向に対して上方の位置に備え、電源側コネクタは室外側に備え、負荷側コネクタは室内側に備え、風洞の内周から電源側コネクタと負荷側コネクタの勘合部分を覆うカバー部を備えたことを特徴とする。
【００１７】
これにより、電源側コネクタ及び負荷側コネクタに埃や水が付着することがなく、コネクタの耐久性を向上させることができる給気装置が得られる。
【００１８】
また、電源側コネクタには負荷側コネクタを差し込む差込口を備え、差込口を密閉できる開閉窓を備え、負荷側コネクタを接続する際は開閉窓が開き、負荷側コネクタを外す際は開閉窓が閉じる構成としたことを特徴とする。
【００１９】
これにより、電源側コネクタに負荷側コネクタが接続されていない状態であっても、電源側コネクタに埃や水が侵入することが無く、コネクタの耐久性を向上させることができる給気装置が得られる。
【００２０】
また、風洞からモータ固定部材及び給気羽根車、給気駆動用モータを外した際、室外側から室内へ虫の侵入を防止する虫侵入防止手段を設けたことを特徴とする。
【００２１】
これにより、風洞内にモータ固定部材及び給気羽根車、給気駆動用モータが無い状態であっても室外側から虫が室内に侵入することが無い給気装置が得られる。
【００２２】
また、建築物の壁面に室内外を連通させる円筒状の開口部に室内側から挿入して装着する風洞を備え、風洞内に室内側と室外側を連通する給気経路を備え、給気経路の中に給気羽根車と給気羽根車を回転させる給気駆動用モータを備え、室内側に給気駆動用モータを保持するモータ固定部材を備え、給気駆動用モータは室外側に給気羽根車を取り付ける構成であり、室内側に開口部を覆い隠す室内パネルを備え、室内パネルに設置され、室内に供給される外気を導入する給気口を備え、給気口を通過する外気は、給気羽根車および給気駆動用モータを経由した後に粉塵を除去する給気清浄フィルターを通過する構成であり、給気駆動用モータの電源線は風洞に連接された電線を延長及び巻き取りが可能な電源リールを備え、風洞を取り外すことなく、室内パネルと給気清浄フィルターを取り外した後に、電源線は電源リールを使用して延長することで、電源線と連結したモータ固定部材、給気駆動用モータ、および給気羽根車を同時に風洞から取り外すことができることを特徴とする。
【００２３】
これにより、風洞を取り外すことなく給気駆動用モータおよび給気羽根車を簡単に取り外すことができる、すなわち着脱自在にすることで、給気駆動用モータと給気羽根車に付着した汚れを容易に掃除することができる給気装置が得られる。
【００２４】
また、モータ固定部材に風洞と噛み合うように配設されたツメ部及び室内側からツメ部の噛み合いを解除できるツマミ部を備えた構成であり、モータ固定部材を風洞の中心軸方向に位置決めでき、且つ風洞からモータ固定部材を着脱可能としたことを特徴とする。
【００２５】
これにより、風洞から給気駆動用モータの着脱を簡単にすることができ、また、風洞を取り外すことなく給気駆動用モータおよび給気羽根車を簡単に取り外すことができる、すなわち着脱自在にすることで、給気駆動用モータと給気羽根車に付着した汚れを容易に掃除することができる給気装置が得られる。
【００２６】
また、風洞の内側が室外側に行くほど外径が狭くなるように、テーパ状に構成されたことを特徴とする。
【００２７】
これにより、風洞から給気駆動用モータの着脱を簡単にすることができ、また、風洞を取り外すことなく給気駆動用モータおよび給気羽根車を簡単に取り外すことができる、すなわち着脱自在にすることで、給気駆動用モータと給気羽根車に付着した汚れを容易に掃除することができる給気装置が得られる。
【００２８】
また、開口部と風洞の間に、室外からの異物の侵入を防止できるパッキンを備え、パッキンは第１の電源線及び電源側コネクタよりも室外側に備えたことを特徴とする。
【００２９】
これにより、第１の電源線に室外からの埃や水が付着しないため、耐久性を向上させることができる給気装置が得られる。
【００３０】
また、給気羽根車は給気駆動用モータの回転軸から着脱可能としたことを特徴とする。
【００３１】
これにより、給気羽根車及び給気駆動用モータを掃除しやすくなり、また、風洞を取り外すことなく給気駆動用モータおよび給気羽根車を簡単に取り外すことができる、すなわち着脱自在にすることで、給気駆動用モータと給気羽根車に付着した汚れを容易に掃除することができる給気装置が得られる。
【００３２】
また、給気経路の内部にあり、給気羽根車よりも室外側に虫の侵入を防止する簡易フィルターを備え、モータ固定部材を取り外した後に室内側から脱着自在に構成したことを特徴とする。
【００３３】
これにより、給気羽根車や風洞内、給気清浄フィルターに虫や大きな埃が付着しないため汚れにくくすることができる給気装置が得られる。
【００３４】
また、運転を開始してから一定期間を過ぎたときに、本体を掃除するようにサインを表示できる構成としたことを特徴とする。
【００３５】
これにより、使用者の掃除やメンテナンスの忘れを防ぐことができる給気装置が得られる。
【００３６】
また、運転を開始してから一定期間を過ぎたときに、給気清浄フィルターおよび簡易フィルターの交換のサインを別々に表示できる構成としたことを特徴とする。
【００３７】
これにより、使用者の掃除やメンテナンスの忘れを防ぐことができる給気装置が得られる。
【００３８】
また、給気羽根車の回転数を検知して、回転数が一定範囲以上変化した場合に、給気清浄フィルターおよび簡易フィルターの交換のサインを別々に表示できる構成としたことを特徴とする。
【００３９】
これにより、使用者の掃除やメンテナンスの忘れを防ぐことができる給気装置が得られる。
【発明の効果】
【００４０】
本発明によれば、風洞を取り外すことなく給気駆動用モータおよび給気羽根車を簡単に取り外せる、すなわち着脱自在にすることで、給気駆動用モータと給気羽根車に付着した汚れを容易に掃除することができるため、使用者が掃除しにくい不満が解消されるとともに、メンテナンスを定期的に実施することで、給気装置の性能が低下することがなく、省エネルギーで且つ長寿命となるという効果のある給気装置を提供できる。
【００４１】
また、電源側コネクタと負荷側コネクタに無理な力が発生することが無く、且つ確実に接続することができるという効果のある給気装置を提供できる。
【００４２】
また、電源側コネクタと負荷側コネクタの接点に埃や水が付着することが無く、耐久性に優れるという効果のある給気装置を提供できる。
【００４３】
また、風洞からモータ固定部材を着脱する際に、安全でかつ簡単に取り外しができるという効果のある給気装置を提供できる。
【００４４】
また、メンテナンス時であっても、室外側から虫が室内に侵入することがないため、安心してメンテナンスをすることができるという効果のある給気装置を提供できる。
【００４５】
また、第１の電源線に埃や水が付着することがないため劣化しにくく、耐久性が向上するという効果のある給気装置を提供できる。
【００４６】
また、給気羽根車や風洞内が汚れにくくなること、及び給気清浄フィルターが目詰まりしにくくなるため、給気装置の性能が低下しにくくなるという効果のある給気装置を提供できる。
【００４７】
また、使用者が掃除やメンテナンスのし忘れを防止できるという効果のある給気装置を提供できる。
【発明を実施するための最良の形態】
【００４８】
本発明の請求項１記載の発明は、建築物の壁面に室内外を連通させる円筒状の開口部に室内側から挿入して装着する風洞を備え、前記風洞内に室内側と室外側を連通する給気経路を備え、前記給気経路の中に給気羽根車と前記給気羽根車を回転させる給気駆動用モータを備え、室内側に前記給気駆動用モータを保持するモータ固定部材を備えた構成であり、前記給気羽根車を回転させることにより室外の空気を前記給気経路を通して室内へ供給する給気装置であって、前記モータ固定部材を室内側から取り外すと前記給気駆動用モータ、および前記給気羽根車を同時に前記風洞から取り外すことができるものであり、風洞を取り外すことなく給気駆動用モータおよび給気羽根車を簡単に取り外せる、すなわち着脱自在にすることで、給気清浄フィルターを通過する前の粉塵により汚れた給気駆動用モータおよび給気羽根車を清掃することができ、給気駆動用モータおよび給気羽根車を常に清潔な状態を保つことができるという作用を有する。
【００４９】
また本発明の請求項２記載の発明は、給気駆動用モータは室外側に給気羽根車を取り付ける構成であり、室内側に開口部を覆い隠す室内パネルを備え、前記室内パネルに設置され、室内に供給される外気を導入する給気口を備え、前記給気口を通過する外気は、前記給気羽根車および前記給気駆動用モータを経由した後に粉塵を除去する給気清浄フィルターを通過する構成であり、前記給気駆動用モータの電源線は、電源側コネクタと負荷側コネクタによって二つに分割しており、第１の電源線は壁内に配線された屋内配線であって前記電源側コネクタと連結しており、第２の電源線は一端を前記負荷側コネクタと、他端を前記給気駆動用モータと連結しており、前記電源側コネクタと前記負荷側コネクタを接続することによって前記第１の電源線から供給される電気を前記第２の電源線に通電される構成であり、前記電源側コネクタは前記風洞に固定され、前記負荷側コネクタは前記モータ固定部材に固定する構成とすることにより、前記室内パネルと前記給気清浄フィルターを取り外した後に、前記モータ固定部材を室内側から取り外すと同時に前記電源側コネクタから前記負荷側コネクタが外れ、前記負荷側コネクタと前記第２の電源線と前記給気駆動用モータ、および前記給気羽根車を同時に前記風洞から取り外すことができるものであり、風洞を取り外すことなく給気駆動用モータおよび給気羽根車を簡単に取り外せる、すなわち着脱自在にすることで、給気清浄フィルターを通過する前の粉塵により汚れた給気駆動用モータおよび給気羽根車を清掃することができ、給気駆動用モータおよび給気羽根車を常に清潔な状態を保つことができるという作用を有する。
【００５０】
また本発明の請求項３記載の発明は、電源側コネクタと負荷側コネクタは、風洞の中心軸と平行に接続される構成であり、電源側コネクタと負荷側コネクタの少なくとも一方は中心軸方向に可動することができ、また、電源側コネクタと負荷側コネクタの少なくとも一方にマグネットを備え、接続の際にはマグネットにより磁力にて引き付けあう力を発生させる構成としたものであり、電源側コネクタと負荷側コネクタに無理な力が発生することが無く、且つ確実に接続することができるという作用と、風洞を取り外すことなく給気駆動用モータおよび給気羽根車を簡単に取り外せる、すなわち着脱自在にすることで、給気清浄フィルターを通過する前の粉塵により汚れた給気駆動用モータおよび給気羽根車を清掃することができ、給気駆動用モータおよび給気羽根車を常に清潔な状態を保つことができるという作用を有する。
【００５１】
また本発明の請求項４記載の発明は、電源側コネクタと負荷側コネクタを無接点で電気を送電できる無接点電気供給手段としたものであり、接点に埃や水が付着することが無いという作用と、風洞を取り外すことなく給気駆動用モータおよび給気羽根車を簡単に取り外せる、すなわち着脱自在にすることで、給気清浄フィルターを通過する前の粉塵により汚れた給気駆動用モータおよび給気羽根車を清掃することができ、給気駆動用モータおよび給気羽根車を常に清潔な状態を保つことができるという作用を有する。
【００５２】
また本発明の請求項５記載の発明は、室内側から操作でき、第１の電源線の通電を入り切りできる電源スイッチを備え、電源側コネクタと負荷側コネクタには接続状態を保持するロック機構を備え、電源スイッチとロック機構を連動させることにより、電源スイッチを切らなければロック機構が解除されず、電源側コネクタと負荷側コネクタが分割できない構成としたものであり、電源スイッチを切り、通電がなくなってから給気駆動用モータおよび給気羽根車を取り外すようにすることで、安全を確保することができるという作用と、風洞を取り外すことなく給気駆動用モータおよび給気羽根車を簡単に取り外せる、すなわち着脱自在にすることで、給気清浄フィルターを通過する前の粉塵により汚れた給気駆動用モータおよび給気羽根車を清掃することができ、給気駆動用モータおよび給気羽根車を常に清潔な状態を保つことができるという作用を有する。
【００５３】
また本発明の請求項６記載の発明は、電源側コネクタと負荷側コネクタは風洞の内周で且つ重力方向に対して上方の位置に備え、電源側コネクタは室外側に備え、負荷側コネクタは室内側に備え、風洞の内周から電源側コネクタと負荷側コネクタの勘合部分を覆うカバー部を備えたものであり、外部から埃や水が風洞内に入っても、カバー部によって電源側コネクタや負荷側コネクタに埃や水が付着することが無く、且つ電源側コネクタや負荷側コネクタは重力方向に対して上方にあることで、重力によって埃の堆積や水が流れてくることがなく、コネクタの耐久性を向上させることができるという作用を有する。
【００５４】
また本発明の請求項７記載の発明は、電源側コネクタには負荷側コネクタを差し込む差込口を備え、差込口を密閉できる開閉窓を備え、負荷側コネクタを接続する際は開閉窓が開き、負荷側コネクタを外す際は開閉窓が閉じる構成としたものであり、モータ固定部材を風洞から取り外した際など電源側コネクタに負荷側コネクタが接続されていな状態である場合、室外側と室内側の圧力差によって開口部及び風洞内に室外からの空気が流れることがあり、埃や水が電源側コネクタの雰囲気にあっても差込口が開閉窓によって遮蔽しているため、埃や水が侵入することが無く、コネクタの耐久性を向上させることができるという作用を有する。
【００５５】
また本発明の請求項８記載の発明は、風洞からモータ固定部材及び給気羽根車、給気駆動用モータを外した際、室外側から室内へ虫の侵入を防止する虫侵入防止手段を設けたものであり、風洞内にモータ固定部材及び給気羽根車、給気駆動用モータが無い状態であっても虫侵入防止手段により室外側から虫が室内に侵入しないという作用を有する。
【００５６】
また本発明の請求項９記載の発明は、建築物の壁面に室内外を連通させる円筒状の開口部に室内側から挿入して装着する風洞を備え、風洞内に室内側と室外側を連通する給気経路を備え、給気経路の中に給気羽根車と給気羽根車を回転させる給気駆動用モータを備え、室内側に給気駆動用モータを保持するモータ固定部材を備え、給気駆動用モータは室外側に給気羽根車を取り付ける構成であり、室内側に開口部を覆い隠す室内パネルを備え、室内パネルに設置され、室内に供給される外気を導入する給気口を備え、給気口を通過する外気は、給気羽根車および給気駆動用モータを経由した後に粉塵を除去する給気清浄フィルターを通過する構成であり、給気駆動用モータの電源線は風洞に連接された電線を延長及び巻き取りが可能な電源リールを備え、風洞を取り外すことなく、室内パネルと給気清浄フィルターを取り外した後に、電源線を電源リールにて延長することで、電源線と連結したモータ固定部材、給気駆動用モータ、および給気羽根車を同時に風洞から取り外すことができるものであり、風洞を取り外すことなく給気駆動用モータおよび給気羽根車を簡単に取り外せる、すなわち着脱自在にすることで、給気清浄フィルターを通過する前の粉塵により汚れた給気駆動用モータおよび給気羽根車を清掃することができ、給気駆動用モータおよび給気羽根車を常に清潔な状態を保つことができるという作用を有する。
【００５７】
また本発明の請求項１０記載の発明は、モータ固定部材に風洞と噛み合うように配設されたツメ部及び室内側からツメ部の噛み合いを解除できるツマミ部を備えた構成であり、モータ固定部材を風洞の中心軸方向に位置決めでき、且つ風洞からモータ固定部材を着脱可能としたものであり、風洞から給気駆動用モータおよび給気羽根車を取り外して掃除した後に、元に戻しやすくするため、モータ固定部材を簡単に位置を決めて固定できるようにするという作用と、風洞を取り外すことなく給気駆動用モータおよび給気羽根車を簡単に取り外せる、すなわち着脱自在にすることで、給気清浄フィルターを通過する前の粉塵により汚れた給気駆動用モータおよび給気羽根車を清掃することができ、給気駆動用モータおよび給気羽根車を常に清潔な状態を保つことができるという作用を有する。
【００５８】
また本発明の請求項１１記載の発明は、風洞の内側が室外側に行くほど外径が狭くなるように、テーパ状に構成されたものであり、給気駆動用モータおよび給気羽根車を取り外して掃除した後に、元に戻しやすくなるため、モータ固定部材を簡単に位置を決めて固定できるようにするという作用と、風洞を取り外すことなく給気駆動用モータおよび給気羽根車を簡単に取り外せる、すなわち着脱自在にすることで、給気清浄フィルターを通過する前の粉塵により汚れた給気駆動用モータおよび給気羽根車を清掃することができ、給気駆動用モータおよび給気羽根車を常に清潔な状態を保つことができるという作用を有する。
【００５９】
また本発明の請求項１２記載の発明は、開口部と風洞の間に、室外からの異物の侵入を防止できるパッキンを備え、パッキンは第１の電源線及び電源側コネクタよりも室外側に備えたものであり、室外側から埃や水が開口部内に侵入してもパッキンにより開口部と風洞の外側の隙間が遮蔽され、第１の電源線及び電源側コネクタに埃や水が付着することが無く、第１の電源線及び電源側コネクタの耐久性が向上するという作用を有する。
【００６０】
また本発明の請求項１３記載の発明は、給気羽根車は給気駆動用モータの回転軸から着脱可能としたものであり、給気羽根車及び給気駆動用モータを掃除しやすいという作用と、風洞を取り外すことなく給気駆動用モータおよび給気羽根車を簡単に取り外せる、すなわち着脱自在にすることで、給気清浄フィルターを通過する前の粉塵により汚れた給気駆動用モータおよび給気羽根車を清掃することができ、給気駆動用モータおよび給気羽根車を常に清潔な状態を保つことができるという作用を有する。
【００６１】
また本発明の請求項１４記載の発明は、給気経路の内部にあり、給気羽根車よりも室外側に虫の侵入を防止する簡易フィルターを備え、モータ固定部材を取り外した後に室内側から脱着自在に構成したものであり、給気羽根車や風洞内、給気清浄フィルターに虫や大きな埃が付着しないという作用があるとともに、簡易フィルターが着脱可能であるため、使用者が掃除しやすいという作用を有する。
【００６２】
また本発明の請求項１５記載の発明は、運転を開始してから一定期間を過ぎたときに、本体を掃除するようにサインを表示できる構成としたものであり、掃除や交換のサインを表示できるようにすることで、使用者が掃除やメンテナンスの忘れを防ぐことができるという作用を有する。
【００６３】
また本発明の請求項１６記載の発明は、運転を開始してから一定期間を過ぎたときに、給気清浄フィルターおよび簡易フィルターの交換のサインを別々に表示できる構成としたものであり、掃除や交換のサインを表示できるようにすることで、使用者が掃除やメンテナンスの忘れを防ぐことができるという作用を有する。
【００６４】
また本発明の請求項１７記載の発明は、給気羽根車の回転数を検知して、回転数が一定範囲以上変化した場合に、給気清浄フィルターおよび簡易フィルターの交換のサインを別々に表示できる構成としたものであり、掃除や交換のサインを表示できるようにすることで、使用者が掃除やメンテナンスの忘れを防ぐことができるという作用を有する。
【００６５】
以下、本発明の実施の形態について図面を参照しながら説明する。
【００６６】
（実施の形態１）
図１に給気装置１の構成を示す断面図を示して説明する。建築物の壁面に室内外を連通させる円筒状の開口部２に、開口部２の直径よりも小さい直径とした円筒状の風洞３を室内側から挿入され、風洞３の室内側にはフランジ部４が形成されており、フランジ部４から壁面にビス止めして固定される。また、風洞３の内部には室内側と室外側を連通する給気風路５を形成し、給気風路５内には、給気羽根車６としての例えばプロペラファンと給気羽根車６を回転させる給気駆動用モータ７としての例えばＡＣコンデンサーモータと、給気駆動用モータ７を保持するモータ固定部材８が備えられ、モータ固定部材８は風洞３に連結して固定されている。一方、室内側には、開口部２を覆い隠し、且つ通気性のある室内パネル９を備え、風洞３のフランジ部４と密閉しない構成にて着脱可能に連結されており、室内パネル９の前面には室内に外気を導入するスリット状に開口した給気口１０が備えられ、室内パネル９の内部には、粉塵を除去する給気清浄フィルター１１としての例えばＨＥＰＡフィルターを備えている。またここで、給気口１０は、室内パネル９の前面ではなく、室内パネル９と風洞３のフランジ部４との間に隙間に備えた場合でもよく、室内側の壁面に沿って給気する構成としても良い。
【００６７】
上記構成により、給気羽根車６を回転させることにより、室外の空気を風洞３へ吸い込ませ、給気羽根車６及び給気駆動用モータ７を経由した後に給気清浄フィルター１１を通過し、給気口１０より室内に外気が導入される。
【００６８】
また、屋内配線により壁面の内部に配線された第１の電源線１２は、開口部２を経由し、風洞３の円周上に備えた電源側コネクタ１３に接続されており、一方で給気駆動用モータ７に通電する第２の電源線１４は、モータ固定部材８に備えた負荷側コネクタ１５に接続され、電源側コネクタ１３と負荷側コネクタ１５が噛み合うことで給気駆動用モータ７に電気が供給される構成とすることにより、使用者は給気装置１の内部の掃除を行う際には、室内パネル９と給気清浄フィルター１１を取り外した後、モータ固定部材８を風洞３から取り外すと同時に負荷側コネクタ１５が電源側コネクタ１３から外れるため、モータ固定部材８、給気駆動用モータ７、給気羽根車６を風洞３から一緒に取り外すことができる。
【００６９】
また、給気清浄フィルター１１は、給気羽根車６より室外側に設置し、モータ固定部材８及び給気駆動用モータ７、給気羽根車６を取り外した後、室内側から給気清浄フィルターを外す構成としても同様の効果が得られる。
【００７０】
したがって、給気羽根車６や風洞３の内部を簡単に掃除できるため、使用者が掃除しにくいという不満が解消されるとともに、定期的に掃除をすることで給気羽根車６や風洞３の内部を清潔な状態に保つことができるため、給気羽根車６や風洞３内部に埃が堆積して通風抵抗が上昇して起こる換気性能の低下を招くことがなく、省エネルギーとなる。またさらに図２の分解斜視図に示すように、給気羽根車６を給気駆動用モータ７の回転軸１６から着脱可能とすることにより、給気羽根車６単独で掃除をすることができるため使用者が給気羽根車６の掃除を容易に行うことができる。
【００７１】
また、図３に風洞３とモータ固定部材８の分解斜視図とコネクタの詳細図を示す。図３に示すように、モータ固定部材８に備えた負荷側コネクタ１５の両側面に凸形状を持つツメ部１７と、室内側から使用者が操作できるツマミ部１８を備え、一方、風洞３にはツメ部１７が引っ掛かる穴部１９を備えることによりモータ固定部材８は風洞３に保持される。モータ固定部材８を風洞３から取り外す際は、負荷側コネクタ１５の両側面のツマミ部１８を挟むことによってツメ部１７と穴部１９との勘合が外れ、モータ固定部材８を引き抜いて風洞３から取り外すことができる。上記構成とすることで、使用者は工具を使用しなくとも容易にモータ固定部材８を風洞３から着脱することができる。
【００７２】
また、風洞３の内部を室外側に行くほど外径が狭くなるようにテーパ状にし、一方でモータ固定部材８と風洞３と位置決めするためのガイド部２０も風洞３の内部と同一角度にてテーパ状にすることで、室内側からモータ固定部材８を風洞３に挿入する際には、風洞３の内部とガイド部２０の隙間が大きく干渉しにくいために挿入しやすくなり、風洞３の内部とガイド部２０の径が合致する位置で風洞３の中心軸２１方向に位置決めされる構成とすることで、使用者が容易にモータ固定部材８を着脱することができる。
【００７３】
また、図１に示すように開口部２に風洞３を挿入することによって開口部２と風洞３の外側に空間２２が形成され、開口部２内を室外から室内に向かって流れる気流は風洞３の外側にある空間２２にも流れ込んでいる。この風洞３の外側の空間２２には第１の電源線１２が壁面内部へ配線されているため、第１の電源線１２より室外側に風洞３の外側と開口部２を密閉するゴム製のパッキン２３を備えることにより、気流はパッキン２３によって遮断されるため、第１の電源線１２に室外からの気流に含まれる異物として、例えば埃、水、虫などが付着することが無く、第１の電源線１２の被覆が劣化しにくく、耐久性が向上する。また、その他の異物として、空気中に含まれるアレルギー物質やオゾンなどが空間２２から風洞３のフランジ部４と室内側の壁面との隙間から室内に空気が漏れることを防止できる。
【００７４】
また、電源側コネクタ１３と負荷側コネクタ１５は、風洞３の周囲で且つ重力方向に対して上部に備えることにより、埃が堆積したり水が流れてくることがないため、電源側コネクタ１３と負荷側コネクタ１５に錆が発生すること、また材料が劣化するなどが防止でき、耐久性が向上する効果があるため、最上部にあることが最も望ましく、図１では最上部に配置している。
【００７５】
また、給気羽根車６が回転している際は、風洞３の内部である給気風路５に室外の空気が流れ込むため、給気風路５の内壁には埃が付着しやすい。そのため、電源側コネクタ１３と負荷側コネクタ１５の勘合部分２４を覆うカバー部２５を風洞３に形成することにより、給気風路５中を流れる埃がコネクタに付着することがないため、コネクタの材料が劣化することを防止でき、耐久性が向上する。一方、モータ固定部材８を風洞３から取り外している際、給気駆動用モータ７、給気羽根車６も一緒に取り外されているため、風洞３の内部には気流を発生させるものは無いが、室内と室外は開口部２によって連通しているため、室内外の気圧の差によって風洞３内を空気が流れてしまう。そのような時であっても、図４に給気装置１の断面斜視図とコネクタの開閉窓２７の詳細図を示し、図４に示すように電源側コネクタ１３には埃や水が侵入しないようヒンジ部２６によって可動する開閉窓２７を差込口２８に備えることにより、負荷側コネクタ１５を差し込む際は開閉窓２７が押し開けられて負荷側コネクタ１５が噛み合い、また、図５に給気装置１のモータ固定部材８を取り外した状態の側面断面図とコネクタの開閉窓２７の詳細図を示し、図５に示すように負荷側コネクタ１５を取り外すと開閉窓２７が閉じる構成とすることで、負荷側コネクタ１５が接続されていなくとも電源側コネクタ１３には埃や水が付着することがなく、耐久性が向上する。
【００７６】
また、コネクタの構成は下記の様な構成にしても良く、図３に電源側コネクタ１３と負荷側コネクタ１５を示して説明する。電源側コネクタ１３には電気を導通する端子２９が２本設置されており、２本の端子２９の間には例えば鉄などの鋼板３０を備え、一方の負荷側コネクタ１５にも端子２９が２本設置されており、この端子２９の間にはマグネット３１を備えている。上記構成により、接続時はマグネット３１の磁力によりコネクタが完全に噛み合うため、確実に通電させることができる。
【００７７】
また、別の手段として電源側コネクタ１３及び負荷側コネクタ１５は無接点電気供給手段３２にて電気を伝達する方法があり、一例として、図６に無接点電気供給手段３２の構成を示して説明する。図６の右側には電源側コネクタ１３を示し、左側に負荷側コネクタ１５を示し、電源側コネクタ１３は周囲を絶縁体３３で覆われており、内部には第１の電源線１２から供給される交流電源を直流に変換する電源側整流回路３４と、電源側コア３５、及び電源側コア３５に巻き付けられた電源側コイル３６が備えられている。一方、負荷側コネクタ１５も周囲を絶縁体３３で覆われており、内部に給気駆動用モータ７に接続された負荷側整流回路３７と、負荷側コア３８、及び負荷側コア３８に巻きつけられた負荷側コイル３９が備えられた構成であり、第１の電源線１２から供給された電気は電源側整流回路３４を通って電源側コイル３６に供給されると、負荷側コイル３９には電磁誘導の効果により直流電流が発生し、負荷側整流回路３７によって電気は直流から交流に変換されて給気駆動用モータ７に供給される。このような構成とすることで、電源側コネクタ１３及び負荷側コネクタ１５の周囲は絶縁体３３で覆われているため、錆が発生せず、水洗いにて掃除を行うことができ、掃除がしやすくなる。
【００７８】
また、風洞３からモータ固定部材８を取り外す際には、給気羽根車６は回転を停止していないと安全ではないため、以下の様に構成するのが望ましく、図７に給気装置１の外観を示す斜視図にて電源スイッチ４１を示して説明し、図８に給気装置１の断面斜視図とロック機構４０の詳細図を示して説明する。第１の電源線１２から電源側コネクタ１３への通電の入り切りを制御できる電源スイッチ４１を使用者が室内側から操作できるように室内パネル９の側面に備え、一方の電源側コネクタ１３の上部に負荷側コネクタ１５の取り外しができないように規制できるロック機構４０としてのスライド押さえ４２を備えた構成であり、電源スイッチ４１を入りの状態にするとスライド押さえ４２が連動して下側に下がることによって負荷側コネクタ１５を引き抜く際にはスライド押さえ４２と干渉するため取り外しができない。逆に電源スイッチ４１を切りの状態とするとスライド押さえ４２が連動して上部に上がり、負荷側コネクタ１５を引き抜く際に干渉しないため、負荷側コネクタ１５が取り外し可能な状態となる。このような構成であれば、使用者がモータ固定部材８を風洞３から取り外す際に、給気駆動用モータ７に電気が供給されおらず、給気羽根車６が回転していないため安全であり且つ取り外しがしやすい。
【００７９】
また、室外側の空気に粉塵が多量に含まれているような悪環境であったり、小さな虫が吸い込まれることによって、給気清浄フィルター１１の目詰まりが激しくなり、長期間使用できない場合が考えられる為、以下の様な構成にすることが望ましく、図１に給気装置１の側面断面図を示して説明する。給気羽根車６より室外側に虫の侵入を防止する簡易フィルター４３としての樹脂製のメッシュを備えたことにより、簡易フィルター４３より室内側に虫や大きな埃などを捕集することにより、給気羽根車６に虫や大きな埃が付着することが無くなり、汚れにくくなるとともに簡易フィルター４３によって虫や大きな埃を捕集した後、簡易フィルター４３より微細な粉塵を捕集できる給気清浄フィルター１１を通過させるため、給気清浄フィルター１１に虫や大きな埃が付着することが無く、フィルターが目詰まりしにくい。また、モータ固定部材８、給気駆動用モータ７、給気羽根車６を風洞３から取り外した後に室内側から簡易フィルター４３を取り外すことができるようにすることで、簡易フィルター４３の掃除がしやすくなる。このような構成にすることで、給気清浄フィルター１１を長期間使用すること、及び給気羽根車６が汚れにくいため、給気装置１の掃除の頻度を減らすことができる。また、給気清浄フィルター１１を簡易フィルター４３と給気羽根車６との間に設置しても同様の効果を得られる。本発明の実施の形態１では、給気装置１の内部の汚れの進行及び目の粗い簡易フィルター４３の目詰まりの進行よりも、給気清浄フィルター１１の目詰まりの進行が早く、給気清浄フィルター１１の掃除のし易さを勘案し、室内パネル９の内部に給気清浄フィルター１１を備えることにより、給気清浄フィルター１１を掃除する際は、室内パネル９のみを取り外すだけで良く、掃除性を向上させている。
【００８０】
また、給気装置１の内部の掃除をどのタイミングで実施すれば良いかを使用者に伝達することで、定期的に掃除を実施してもらい、給気装置１の風量低下を防止することが望ましく、以下の手段について図９に給気装置１の外観を示す斜視図を示して説明する。室内パネル９の前面に使用者が目視で確認できるようにサイン４４としての表示ランプを備え、給気装置１が運転を開始してから一定期間として例えば６ヶ月を過ぎたときにサイン４４を出すことによって給気装置１の内部の掃除を促す機能を備えることにより、使用者が掃除のし忘れを防止することができ、定期的に掃除を行うことで、風量の低下による換気性能の低下を招くことが無く、省エネルギーとなる。また、サイン４４を２個備えてそれぞれ簡易フィルター４３と給気清浄フィルター１１の掃除を促すことにより、フィルターが目詰まりすることによる風量低下を防止することができ、換気性能の低下を招くことが無く、省エネルギーとなる。また、フィルターが目詰まりすることによって通風抵抗が増加し、給気羽根車６の回転数が低下するため、例えば定格回転数に対して１０％回転数が低下した場合にサイン４４は給気羽根車６の回転数の低下を検知して出しても良い。
【００８１】
また、図５の側面断面図に示すように、モータ固定部材８を風洞３から取り外している際は、室外から室内に虫が侵入してしまうため、虫侵入防止手段４５として給気清浄フィルター１１及び室内パネル９を風洞３に取り付けることにより、室外から侵入する虫は給気清浄フィルター１１及び室内パネル９が障害となって室内に侵入することができない。また、給気清浄フィルター１１によって埃を捕集するため、室内に汚れた空気が入ることを防止することができる。また、別な手段として、簡易フィルター４３を設置することで、虫や大きな埃が室内に侵入することを防止することができる。
【００８２】
（実施の形態２）
本発明の実施の形態２は、実施の形態１と同一部分については同一番号を付し、詳細な説明は省略する。
【００８３】
本発明の実施の形態４においては、図１０に給気装置１の側面断面図と電源リール４６の詳細図を示して説明し、電源側コネクタ１３と負荷側コネクタ１５を分割せず、電線を回転して巻き取り及び延長が可能な電源リール４６に巻きつけたものであり、一例として、第１の電源線１２は風洞３に回転自在に固定された電源リール４６に巻きつけられた後にモータ固定部材８に沿って保持され、給気駆動用モータ７に接続する構成としたことにより、モータ固定部材８を風洞３から取り外す際には、電源リール４６が回転しながら第１の電源線１２が延長されて取り外しでき、給気羽根車６や風洞３の内部を掃除することができる。また、モータ固定部材８を風洞３に取り付ける際には電源リール４６が逆回転しながら第１の電源線１２を巻き取って装着される。上記構成としても、風洞３を取り外すことがなく、給気駆動用モータ７及び給気羽根車６を簡単に取り付け、取り外しができるため、給気装置１の内部の掃除がしやすい。
【産業上の利用可能性】
【００８４】
建築物の室内外の空気を換気できる給気装置などに適用できる。
【図面の簡単な説明】
【００８５】
【図１】本発明の実施の形態１の給気装置の構成を示す側面断面図
【図２】同分解斜視図
【図３】本発明の実施の形態１の風洞とモータ固定部材の分解斜視図および同同コネクタ部分の詳細図
【図４】本発明の実施の形態１の給気装置の断面斜視図およびコネクタの開閉窓を示す詳細図
【図５】本発明の実施の形態１の給気装置の側面断面図と同コネクタの開閉窓を示す詳細図
【図６】本発明の実施の形態１の無接点電気供給手段の構成を示す断面図
【図７】本発明の実施の形態１の給気装置の外観を示す斜視図
【図８】本発明の実施の形態１の給気装置を示す側面断面図とコネクタのロック機構を示す詳細図
【図９】本発明の実施の形態１の給気装置の外観を示す斜視図
【図１０】本発明の実施の形態２の給気装置の構成を示す側面断面図および電源リールを示す詳細図
【図１１】従来の給気装置の構造を示す側面断面図
【符号の説明】
【００８６】
１    給気装置
２    開口部
３    風洞
５    給気風路
６    給気羽根車
７    給気駆動用モータ
８    モータ固定部材
９    室内パネル
１０  給気口
１１  給気清浄フィルター
１２  第１の電源線
１３  電源側コネクタ
１４  第２の電源線
１５  負荷側コネクタ
１６  回転軸
１７  ツメ部
１８  ツマミ部
２１  中心軸
２３  パッキン
２４  勘合部分
２５  カバー部
２７  開閉窓
２８  差込口
３１  マグネット
３２  無接点電気供給手段
４０  ロック機構
４１  電源スイッチ
４３  簡易フィルター
４４  サイン
４５  虫侵入防止手段
４６  電源リール
【図１】
2009063252.tif 000003
【図２】
2009063252.tif 000004
【図３】
2009063252.tif 000005
【図４】
2009063252.tif 000006
【図５】
2009063252.tif 000007
【図６】
2009063252.tif 000008
【図７】
2009063252.tif 000009
【図８】
2009063252.tif 000010
【図９】
2009063252.tif 000011
【図１０】
2009063252.tif 000012
【図１１】
2009063252.tif 000013